(57)【要約】  電気機械を製造するための方法は、複数の回転子層を積み重ねて軸線方向の回転子セグメントを形成することであって、回転子セグメントは、少なくとも２つの層で形成されており、各層は、内部に複数の開口部を有しており、開口部は、回転子セグメント内に複数の回転子極を形成しており、各極は、開口部から形成された複数の通路を有している、ことと、回転子セグメントを回転させて複数の極のうちの第１の極を整列位置に配置することと、第１の極の通路内に溶融状態のポリマーボンド永久磁石（ＰＢＭ）材料を射出することであって、（ＰＢＭ）材料は、ポリマーマトリクス内に懸濁された磁性粒子を含む、ことと、（ＰＢＭ）材料を固化させる前に、第１の極を所望の磁場に曝して磁性粒子を所望の配向に整列させることと、（ＰＢＭ）材料を固化させて第１の極の通路内に永久磁石を形成することと、を含む。
2021509004.tif 000002
【特許請求の範囲】
【請求項１】
電気機械を製造するための方法であって、
（ａ）複数の回転子層を積み重ねて軸線方向の回転子セグメントを形成することであって、前記回転子セグメントが、少なくとも２つの層で形成されており、各回転子層が、内部に複数の曲線状スロットを有しており、前記曲線状スロットが、前記回転子セグメント内に複数の回転子極を形成しており、各極が、前記曲線状スロットから形成された複数の曲線状通路を有している、ことと、
（ｂ）前記回転子セグメントを回転させて前記複数の極のうちの第１の極を整列位置に配置することと、
（ｃ）前記第１の極の前記曲線状通路内に溶融状態のポリマーボンド永久磁石材料を射出することであって、前記ポリマーボンド永久磁石材料が、ポリマーマトリクス内に懸濁された磁性粒子を含む、ことと、
（ｄ）前記ポリマーボンド永久磁石材料を固化させる前に、前記第１の極を所望の磁場に曝して前記磁性粒子を所望の配向に整列させることと、
（ｅ）前記ポリマーボンド永久磁石材料を固化させて前記第１の極の前記曲線状通路内に永久磁石を形成することと、
（ｆ）前記第１の極に対して（ｅ）を実施した後に、前記複数の極のうちの残りの各極に対して（ｂ）、（ｃ）、（ｄ）、（ｅ）を実施することと、
を含む、方法。
【請求項２】
（ａ）〜（ｆ）を繰り返して少なくとも２つの回転子セグメントを形成することと、前記少なくとも２つの回転子セグメントを組み合わせて前記電気機械用の回転子を形成することと、をさらに含む、請求項１記載の方法。
【請求項３】
第１の回転子セグメントが、第２の回転子セグメントに対して回転方向でずらされている、請求項２記載の方法。
【請求項４】
少なくとも１つの層が、別の層に対して回転方向でずらされている、請求項１記載の方法。
【請求項５】
前記所望の磁場が、少なくとも１つの永久磁石によって発生する、請求項１記載の方法。
【請求項６】
前記ポリマーマトリクスが、ナイロン、ポリプロピレン、およびポリフェニレンスルフィドのうちの少なくとも１種であるかまたは少なくとも１種を含む、請求項１記載の方法。
【請求項７】
前記磁性粒子が、ＮｄＦｅＢ、Ｓｍ−Ｆｅ−Ｎ、およびフェライト粉末のうちの少なくとも１種であるかまたは少なくとも１種を含む、請求項１記載の方法。
【請求項８】
前記電気機械が、永久磁石支援同期リラクタンスモータおよび／または発電機である、請求項１記載の方法。
【請求項９】
前記磁性粒子が、異方性磁性粒子である、請求項１記載の方法。
【請求項１０】
（ｃ）が（ｄ）を実施する前に実施される、請求項１記載の方法。
【請求項１１】
前記ポリマーボンド永久磁石材料が固化するまで、前記所望の磁場に曝されている間、前記第１の極を前記整列位置に維持することをさらに含む、請求項１記載の方法。
【請求項１２】
電気機械用の回転子を製造するための方法であって、
マンドレルに複数の回転子層を積み重ねて、前記マンドレルに対して平行な軸線方向に延在する回転子セグメントを作製することであって、前記マンドレルが、前記回転子層を互いに対して所望の回転方向位置に整列させるように構成されており、前記層が、内部に複数の開口部を有しており、前記積み重ねられた回転子層が、回転子セグメントを形成しており、前記複数の開口部が、前記回転子セグメントを通って延在する複数の通路を形成しており、前記回転子セグメントが、複数の極を有している、ことと、
内部に永久磁石を形成するための１つの極を選択することと、
前記極に溶融状態のポリマーボンド永久磁石材料を射出することであって、前記ポリマーボンド永久磁石材料が、ポリマーマトリクス内に懸濁された磁性粒子を含む、ことと、
所望の磁場を使用して、前記ポリマーマトリクス内の前記磁性粒子を所望の配向に整列させることと、
前記ポリマーボンド永久磁石材料を固化させて固体の永久磁石を形成することと、
前記固化させた後に、前記複数の極の各極に対して、前記選択、前記射出、前記整列、および前記固化を繰り返すことと、
を含む、方法。
【請求項１３】
第１の回転子セグメントが、第２の回転子セグメントに対して回転方向でずらされている、請求項１２記載の方法。
【請求項１４】
少なくとも１つの層が、別の層に対して回転方向でずらされている、請求項１２記載の方法。
【請求項１５】
前記所望の磁場が、少なくとも１つの永久磁石によって発生する、請求項１２記載の方法。
【請求項１６】
前記ポリマーマトリクスが、ナイロン、ポリプロピレン、およびポリフェニレンスルフィドのうちの少なくとも１種であるかまたは少なくとも１種を含み、前記磁性粒子が異方性であり、前記磁性粒子が、ＮｄＦｅＢ、Ｓｍ−Ｆｅ−Ｎ、およびフェライト粉末のうちの少なくとも１種であるかまたは少なくとも１種を含む、請求項１２記載の方法。
【請求項１７】
前記マンドレルにキーが配置されており、前記回転子層のそれぞれが、前記キーと係合するように構成された整列スロットを有しており、各回転子層の前記整列スロットを前記キーと係合させることをさらに含む、請求項１２記載の方法。
【請求項１８】
前記マンドレルが、前記キーを保持するように構成されたスロットを有しており、前記スロットおよび前記キーが、前記各回転子層間のずれを制御するように構成されており、前記スロットおよび前記キーを使用して前記各回転子層間のずれを制御することをさらに含む、請求項１７記載の方法。
【請求項１９】
前記電気機械が、永久磁石支援同期リラクタンスモータおよび／または発電機である、請求項１２記載の方法。
【請求項２０】
少なくとも２つの回転子セグメントを形成することと、前記少なくとも２つの回転子セグメントを組み合わせて前記電気機械用の前記回転子を形成することと、をさらに含む、請求項１２記載の方法。
【請求項２１】
電気機械を製造するための方法であって、
（ａ）複数の回転子層を積み重ねて軸線方向の回転子セグメントを形成することであって、前記回転子セグメントが、少なくとも２つの層で形成されており、各回転子層が、内部に複数の曲線状スロットを有しており、前記曲線状スロットが、前記回転子セグメント内に複数の回転子極を形成しており、各極が、前記曲線状スロットから形成された複数の曲線状通路を有している、ことと、
（ｂ）前記回転子セグメントを回転させて前記複数の極のうちの第１の極を整列位置に配置することと、
（ｃ）前記第１の極の前記曲線状通路にポリマーボンド永久磁石材料を充填することであって、前記ポリマーボンド永久磁石材料が、ポリマーマトリクス内に懸濁された磁性粒子を含む、ことと、
（ｄ）前記ポリマーボンド永久磁石材料を固化させる前に、前記第１の極を所望の磁場に曝して前記磁性粒子を所望の配向に整列させることと、
（ｅ）前記ポリマーボンド永久磁石材料を固化させて前記第１の極の前記曲線状通路内に永久磁石を形成することと、
（ｆ）前記第１の極に対して（ｅ）を実施した後に、前記複数の極のうちの残りの各極に対して（ｂ）、（ｃ）、（ｄ）、（ｅ）を実施することと、
を含む、方法。
【発明の詳細な説明】
【技術分野】
【０００１】
本出願は、一般に電気機械に関し、より詳細には、電気機械を製造するための方法に関するが、これに限定されない。
【背景技術】
【０００２】
様々なタイプの電気機械、例えば、永久磁石支援同期リラクタンス機械などの永久磁石を含む電気機械は、依然として重要な分野である。いくつかの既存システムには、特定の用途に対して様々な短所、欠点、および不利がある。例えば、いくつかの電気機械では、永久磁石の最適な磁気整列が達成されていない。したがって、この技術分野では、更なる貢献の必要性が残存している。
【０００３】
本明細書における説明は、添付の図面を参照しており、図面では、いくつかの図を通じて同様の参照番号は同様の部分を指している。
【図面の簡単な説明】
【０００４】
【図１】本発明の実施形態による、電気機械の非限定的な例のいくつかの態様の概略図である。
【図２】本発明の実施形態による、回転子セグメントの非限定的な例のいくつかの態様を示す図である。
【図３】本発明の実施形態による、回転子層を積み重ねかつ整列させて回転子セグメントを作製するためのマンドレルの非限定的な例のいくつかの態様を示す図である。
【図４】４Ａ，４Ｂは、本発明の実施形態による、層を整列させるためのキーの側面図および上面図のいくつかの態様を示す図である。
【図５】ＰＢＭ（ポリマーボンド永久磁石）材料を回転子セグメントに射出成形し、永久磁石を作製するＰＢＭを固化させる前にＰＢＭ内の磁性粒子または磁性粉末を整列させるための金型の非限定的な例のいくつかの態様を示す図である。
【発明を実施するための形態】
【０００５】
本発明の原理の理解を促進する目的のために、図面に示されている実施形態がここで参照され、それを説明するために特定の言語が使用される。それにもかかわらず、それによって本発明の範囲を限定することを意図していないことが理解されるであろう。説明される実施形態における任意の変更および更なる修正、ならびに本明細書に説明される本発明の原理の更なる適用は、本発明が関連する当業者が通常行い得るように企図されている。
【０００６】
図面、特に図１を参照すると、本発明の実施形態による、電気機械１０の非限定的な例のいくつかの態様が概略的に示されている。一形態では、電気機械１０は、三相機械である。他の実施形態では、電気機械１０は、単相機械であってもよく、または任意の数の相を有していてもよい。一形態では、電気機械１０は、永久磁石支援同期リラクタンスモータである。他の実施形態では、電気機械１０は、モータおよび／または発電機であってもよく、永久磁石を含む任意のタイプのモータ、発電機、またはモータ／発電機であってもよい。様々な実施形態では、電気機械１０は、半径方向磁束機械、軸線方向磁束機械、または三次元（３Ｄ）磁束経路を有する機械であってよい。電気機械１０は、軸１２、永久磁石１８を備える極１６を有する回転子１４、固定子巻線２２を有する固定子２０、ハウジング２４、および軸受２６を備えている。軸１２および回転子１４は、軸線方向３０を規定する回転軸線２８を中心として回転する。
【０００７】
軸１２は、回転子１４を支持し、回転子１４からの半径方向荷重および軸線方向またはスラスト荷重に対応するように構成されている。一形態では、軸１２は、電気機械１０からの機械的動力を電気機械１０の出力として伝達するように動作可能である。他の実施形態では、軸１２は、機械的動力を電気機械１０にかつ／または電気機械１０から伝達するように動作可能であってよい。軸１２は、軸受２６によって軸線方向および半径方向に位置決めされる。軸１２および軸受２６は、回転軸線２８および対応する軸線方向３０を規定する。
【０００８】
回転子１４および固定子２０は、互いに磁気的に連通している。回転子１４／極１６および固定子２０のそれぞれは、磁束を互いに近づく方向にかつ互いに離れる方向に導くように動作可能な構造を有している。いくつかの実施形態では、回転子１４は、永久磁石１８と併せて、他の動作可能な磁束源、例えば、バスバー、巻線、またはその両方を備えていてもよい。
【０００９】
固定子巻線２２は、固定子２０の通路３２内に配置される。一形態では、固定子巻線２２は銅導体である。他の実施形態では、銅に加えてまたは銅の代わりに、アルミニウムおよび／または他の導体材料を使用してもよい。巻線２２は、極１６との磁気連通のために構成される。一形態では、通路３２は直線状であり、軸線方向３０に固定子２０の長さ全体にわたって延在する。他の実施形態では、通路３２は傾けられていてもよく、半径方向の通路であってもよく、または固定子２０の全体もしくは一部を通って軸線方向、半径方向、および円周方向のうちの任意の２つ以上に延在する中心線を有する通路であってもよい。いくつかの実施形態では、固定子２０は、通路３２に加えて、他の通路、例えば冷却通路または他の通路を有していてもよい。いくつかの実施形態では、通路３２はまた、そこを通る冷却媒体の流れを可能にするように構成されてもよい。
【００１０】
一形態では、軸受２６は、ハウジング２４の端部プレート３４に取り付けられて支持される。いくつかの実施形態では、一方または両方の端部プレート３４は、ハウジング２４と一体化されていてもよい。いくつかの実施形態では、軸受２６は、１つ以上の他の構造および／またはハウジング２４の一体的な特徴を介して、ハウジング２４に取り付けられて結合されていてもよい。軸受２６は、軸１２および回転子１４の軸線方向または方向３０のスラスト荷重に対応し、かつ軸１２および回転子１４の回転軸線２８に対して垂直な半径方向の荷重に対応するように構成されている。ハウジング２４は、固定子２０を取り囲み、固定子２０に関連する荷重、例えば、固定子２０と回転子１４との間の磁気的相互作用によって発生する荷重に対応するように構成されている。電気機械１０は、固定子巻線２２に流れる電流を制御するように動作可能な駆動装置３６を含む。一形態では、駆動装置３６は、ハウジング２４に取り付けられる。他の実施形態では、駆動装置３６は、別の位置に配置されてもよい。
【００１１】
一形態では、永久磁石１８は、ポリマーボンド永久磁石（ＰＢＭ）である。他の実施形態では、他のタイプの磁石または磁性材料を使用してもよい。一形態では、永久磁石１８は、ポリマー／エポキシ樹脂マトリクスを使用して、磁性粉末、例えば、粉末形態の磁性粒子を結合する。他の実施形態では、他のマトリクス材料を使用してもよい。ＰＢＭの磁気特性は、磁性粉末または磁性粒子、その含有量、およびマトリクスとの相互作用によって決定される。いくつかの実施形態では、熱可塑性ポリマーが射出成形されて、永久磁石１８が形成されてもよい。例えば、一形態では、ＰＢＭは、回転子１４の空洞、例えば、回転子の空洞または通路に直接射出されて、永久磁石１８を形成する。このプロセスにより、磁石の焼結およびその後の組み立てプロセスが不要になり、いくつかの実施形態では、製造コストおよびリードタイムが低減される。また、ＰＢＭは、ユーザの要求に応じて調整することができる。磁性粉末または磁性粒子の選択には、Ｎｄ−Ｆｅ−Ｂ（ネオジム−鉄−ホウ素）、Ｓｍ−Ｆｅ−Ｎ（サマリウム−鉄−窒素）、フェライト粉末、およびそれらの混合物を含んでもよい。他の実施形態では、他の磁性粉末または磁性粒子材料が使用されてもよい。一形態では、ポリマーマトリクスは、ナイロン、ポリプロピレン、および／またはポリフェニレンスルフィドであってもよく、またはそれらを含んでもよい。他の実施形態では、他のポリマーマトリクス材料が使用されてもよい。
【００１２】
一形態では、ＰＢＭは、回転子の空洞または通路（通路４８、以下で説明されて図２に示されている）内に直接射出されて、永久磁石１８を形成する。他の実施形態では、他の技術を使用して、回転子の空洞または通路の内部に永久磁石１８が形成されてもよい。例えば、空洞に永久磁石材料が充填される圧縮成形が使用されてもよい。永久磁石材料はその後、（以下で説明する）飽和および／または整列後に、例えば硬化によって固化されて、永久磁石１８を形成する。一形態では、回転子１４は、磁化器に配置されて磁石の飽和を達成する。一形態では、永久磁石１８を形成するために使用される磁性粉末または磁性粒子は異方性である。一形態では、例えば、永久磁石１８から所望の磁場配向を達成するために、磁性粉末または磁性粒子を整列させる。整列は、ＰＢＭ溶融物が低粘度を呈し、整列の影響を受けやすいとき、例えばＰＢＭ材料が溶融しているときに、所望の方向に所望の磁場を印加することによって実施される。一形態では、各極１６は、一度に１つずつ磁化される。例えば、第１の極１６にＰＢＭが射出されて、第１の極１６を整列させ、引き続き、第２の極１６にＰＢＭが射出されて、第２の極１６を整列させ、最終的には、全ての極に射出が行われ、全ての極を整列させる。いくつかの実施形態では、同時に２つ以上の極１６にＰＢＭを射出してもよいが、一度には１つの極１６のみを整列させることができる。他の実施形態では、２つ以上の極１６、例えば、互いに離間した極１６に同時に射出が行われ、かつ／または２つ以上の極１６を整列させてもよい。一形態では、整列磁石、すなわち、磁性粒子または磁性粉末を整列させる所望の磁場を発生させる磁石は、永久磁石である。他の実施形態では、整列磁石はまた、電磁石を含んでもよく、または代わりに電磁石であってもよい。
【００１３】
極１６を上述の方法で整列させることによって、例えば、同時に１つ（およびいくつかの実施形態では、２つ以上の選択された非隣接の極）を整列させることのみによって、整列磁場にわたってより多くの制御を得ることができる。例えば、全ての極または隣接する極を同時に整列させるスキームでは、１つの極を整列させるために使用される１組の整列磁石によって発生する磁場と、隣接する極を整列させるために使用される隣接する１組の整列磁石によって発生する磁場との間に、望ましくない干渉を経験する場合がある。本発明の実施形態では、整列磁石のアレイにより、ホールバッハアレイよりも効果的な磁場集中が可能になる。したがって、本発明の実施形態では、極１６は、全ての極または隣接する極を同時に整列させた場合よりも、所望の磁場特性を達成することができる。また、本発明のいくつかの実施形態、例えば、一度に１つの極１６のみに射出を行う実施形態により、射出されるＰＢＭ材料をいつでも低減することができ、それによって、より小さな射出成形機の使用が可能になる。
【００１４】
図２を参照すると、本発明の実施形態による、軸線方向の回転子セグメント４０の非限定的な例のいくつかの態様が示されている。一形態では、回転子１４は、複数の回転子セグメント４０で形成されている。図１に示す例では、そのような３つの軸線方向の回転子セグメントが使用されている。任意の特定の回転子１４における回転子セグメント４０の数は、用途の必要性に応じて変化し得る。図示された例では、極１６の数は４つである。任意の特定の回転子１４における極１６の数は、用途の必要性に応じて変化し得る。
【００１５】
各回転子セグメント４０は、軸線方向３０に長さ４２を有している。回転子セグメント４０は、複数の回転子層４４で形成されている。一形態では、回転子層４４が互いに積み重ねられて、軸線方向の各回転子セグメント４０を形成する。各回転子セグメント４０は、少なくとも２つの層４４で形成されている。長さ４２は、例えば、（例えば、回転子セグメント４０を形成するために使用し得る層４４の最大数を決定する）永久磁石１８を射出するために使用される金型キャビティの深さによって、また、いくつかの実施形態では、（例えば、全ての層を、整列磁石によって発生する整列磁場の所望の部分内に保持することが望ましいため）ＰＢＭ磁性材料を整列させるために金型で使用される整列磁石の高さに基づいて、決定することができる。いくつかの実施形態では、金型にフィットし得る層４４の最大数を変更し、したがって回転子セグメント４０の長さを変更するために、金属インサートまたはスペーサを、例えば、回転子セグメント４０の下方の金型キャビティ内に配置してもよい。
【００１６】
各回転子層４４は、内部に複数の開口部またはスロット４６、例えば曲線状スロットを有しているが、他の実施形態では、他のスロット形状または構成を使用してもよい。スロット４６は、回転子セグメント４０内に複数の回転子極１６を形成し、その各極１６は、スロット４６から形成された複数の通路４８を有している。通路４８は、回転子セグメント４０の一方の端部から、反対側の端部まで延在する。図２の描写では、１つの極１６の通路４８には、永久磁石１８を形成するために、ＰＢＭが射出成形されているが、他の３つの極１６には、スロット４６および通路４８の位置を明確にするために、まだ射出成形されていない。
【００１７】
回転子層４４は、それらがマンドレルにおける所望の回転位置に配置され、かつ回転子セグメント４０の所望のスタック長さ４２に積み重ねられることができるように、キー溝でインデックス付けされている。各回転子層４４は、回転子層４４を他の回転子層４４と整列させるためのキー溝５０を有している。いくつかの実施形態では、特定の回転子セグメント４０内の各回転子層４４は、同じ回転子セグメント４０内の他の各回転子層４４と整列する。他の実施形態では、回転子層４４は、同じ回転子セグメント４０内の他の回転子層４４に対してずらされていてもよく、すなわち回転方向でずらされていてもよい。いくつかの実施形態では、特定の回転子１４において、全ての回転子セグメント４０を整列させてよいが、他の実施形態では、１つ以上の回転子セグメント４０は、１つ以上の他の回転子セグメント４０に対してずらされていてもよく、すなわち回転方向でずらされていてもよい。
【００１８】
図３を参照すると、本発明の実施形態による、回転子層４４を積み重ねて回転子セグメント４０を達成または作製するためのマンドレル５２の非限定的な例のいくつかの態様が示されている。回転子層４４はマンドレル５２に積み重ねられ、回転子層４４の軸線方向の動きを制限するストップとして機能する肩部５４によって、マンドレル５２に軸線方向で位置決めされる。所望の量の回転子層４４がマンドレル５２に積み重ねられて、マンドレル５２に対して平行な軸線方向２８に延在する回転子セグメント４０が作製される。マンドレル５２は、キー５８を保持するためのキー溝５６を有しており、キーの側面図および上面図がそれぞれ、図４Ａおよび図４Ｂに示されている。
【００１９】
マンドレル５２は、例えば、マンドレル５２のキー溝５６と回転子層４４のキー溝５０との両方に係合するキー５８を使用して、回転子層４４を互いに対して所望の回転方向位置で整列させるかまたはずらすように構成されている。他の実施形態では、回転子層４４は、回転子層４４を整列させるためにマンドレル５２のキー溝５６と係合するように構成された１つ以上の突起を有していてもよい。さらに他の実施形態では、マンドレル５２は、回転子層４４を整列させるために回転子層４４内のキー溝５０に係合するように構成された１つ以上の突起を有していてもよい。
【００２０】
図示された実施形態では、キー溝５６は直線状で、かつマンドレル５２に対して平行であり、したがって、キー５８と併せて、回転子層４４間のずれなしに、回転子層４４を互いに平行に整列させる。他の実施形態では、キー溝５６およびキー５８は、螺旋構成要素を有していてもよく、回転子セグメント４０内の各回転子層４４間にずれを提供する。
【００２１】
図示された実施形態では、キー溝５６は、キー５８の平坦な底部６０と係合するように構成された平坦な底部を有している。キー５６は、回転子層４４の卵形または楕円形のキー溝５０と係合するように構成された卵形または楕円形の上部６２を有している。キー溝５０、キー溝５６、およびキー５８の幾何学的形状は、用途の必要性に応じて変化し得る。
【００２２】
マンドレル５２は、マンドレル５２の底部６８に回転位置決め機構６４を備えている。図示された実施形態では、回転位置決め機構６４は平坦である。他の実施形態では、回転位置決め機構６４は、マンドレル５２に対して回転位置決めを提供するために使用し得るキーもしくはキー溝、または任意の幾何学的特徴としてもよい。回転位置決め機構６４は、極１６を、ＰＢＭ内の磁性粒子を整列させるための整列磁石および所望の磁場と回転方向で整列させるために使用される。
【００２３】
回転子セグメント４０の組み立て中、回転子層４４は、回転子層４４の中心にある内部にマンドレル５２を受け入れる開口部６６（図２）を使用してマンドレル５２上に積み重ねられる。回転子層４４は、マンドレル５２の上部７０とは反対側の、マンドレル５２の底部６８に取り付けられる。キー５８ならびにキー溝５０および５６は、回転子層４４を整列させる。第１の回転子層４４は、マンドレル５２の肩部５４に当接し、その後、取り付けられた回転子層４４は、事前に取り付けられた回転子層４４に当接する。回転子層４４のスタック、すなわち、回転子セグメント４０のスタックの長さ４２（図２）は、用途の必要性に応じて変化し得る。回転子１４を形成するために使用される回転子セグメント４０の数は、用途の必要性に応じて変化し得る。回転子１４は、同じまたは異なる長さ４２を有する回転子セグメント４０で形成されてよい。
【００２４】
図５を参照すると、回転子セグメント４４の通路４８内にＰＢＭ材料を射出成形し、かつ永久磁石１８を作製するＰＢＭ材料の固化前にＰＢＭ材料を整列させるための、金型システム７２の非限定的な例のいくつかの態様が示されている。回転子セグメント４０は、底部金型部７４内に挿入され、極１６のうちの１つが整列磁石７８に対して整列位置７６に配置されるように回転される。整列位置は、マンドレル５２の底部６８の回転位置決め機構６４が、底部金型部７４に設けられた合致する回転機構（図示せず）と係合することによって達成することができる。次いで、上部金型部８０が底部金型部７４上の所定の位置に固定され、ＰＢＭが、整列位置にある極１６の通路４８内に射出成形される。いくつかの実施形態では、ＰＢＭは、極１６を整列位置７６に配置する前に、通路内に射出成形されてもよい。
【００２５】
ＰＢＭ、例えば、内部に磁性粒子が懸濁されたポリマーマトリクスで形成されたポリマーボンド永久磁石材料は、整列磁石７８との整列位置７６にある極１６用のスロットまたは開口部４６によって形成された通路４８内に射出される。ＰＢＭが溶融されていて、整列位置７６にある間に、極１６は、整列磁石７８によって発生する所望の磁場に曝されて、ポリマーボンド永久磁石材料を固化させる前に、磁性粒子を所望の配向に整列させる。次に、ＰＢＭは、例えば冷却によって固化されて、整列位置７６における極の通路４８内に永久磁石１８を形成する。整列された極１６は、磁性粒子の整列が保持されるように、ＰＢＭが十分に固化するまで、整列位置に維持または保持される。次いで、このプロセスが、回転子１４の残りの各極１６に対して繰り返される。このプロセスが複数回繰り返されて、組み合わされて所望の長さの回転子１４を構成し得る複数の回転子セグメント４０を作製することができる。
【００２６】
本発明の実施形態では、各極に個別に射出が行われ、各極を整列させる。例えば、いくつかの実施形態では、他の極に射出を行い、各極を整列させる前に、１つの極に射出が行われ、１つの極を整列させる。これにより、金型および射出成形機をより小さくすることが可能になる。加えて、金型内部の磁力を低減し、取り扱いを容易にすることができる。また、いくつかの実施形態では、ランナーレスシステムが使用される。いくつかの実施形態では、ゲートは、１つの極、例えば、射出が行われる極の通路４８の真上または直上に配置され、使用されるＰＢＭ材料の量を低減し、溶融温度の損失を低減する。溶融温度の損失を低減することにより、金型への充填が容易になり、ＰＢＭ溶融物の粘度が低いときに磁石を整列させる時間をより長くすることが可能になる。他の極、例えば隣接する極の通路４８にＰＢＭが流れ込むのを防ぐ２つの壁によって、他の極は、溶融材料から分離されている。金型のＡ側は、ゲートと金型キャビティとの間のスペースからの過剰なＰＢＭを受容するように設計されている。Ａ側に対して平行な金型キャビティの壁は、Ａ側における過剰なＰＢＭの形状のネガとして設計でき、スタックの簡単な組み立てを可能にする。
【００２７】
本発明の実施形態は、電気機械を製造するための方法を含み、この方法は、（ａ）複数の回転子層を積み重ねて軸線方向の回転子セグメントを形成することであって、回転子セグメントは、少なくとも２つの層で形成されており、各回転子層は、内部に複数の曲線状スロットを有しており、曲線状スロットは、回転子セグメント内に複数の回転子極を形成しており、各極は、曲線状スロットから形成された複数の曲線状通路を有している、ことと、（ｂ）回転子セグメントを回転させて複数の極のうちの第１の極を整列位置に配置することと、（ｃ）第１の極の曲線状通路内に溶融状態のポリマーボンド永久磁石材料を射出することであって、ポリマーボンド永久磁石材料は、ポリマーマトリクス内に懸濁された磁性粒子を含む、ことと、（ｄ）ポリマーボンド永久磁石材料を固化させる前に、第１の極を所望の磁場に曝して磁性粒子を所望の配向に整列させることと、（ｅ）ポリマーボンド永久磁石材料を固化させて第１の極の曲線状通路内に永久磁石を形成することと、（ｆ）第１の極に対して（ｅ）を実施した後に、複数の極のうちの残りの各極に対して（ｂ）、（ｃ）、（ｄ）、（ｅ）を実施することと、を含む。
【００２８】
改良形態では、方法は、（ａ）〜（ｆ）を繰り返して少なくとも２つの回転子セグメントを形成することと、少なくとも２つの回転子セグメントを組み合わせて電気機械用の回転子を形成することと、をさらに含む。
【００２９】
別の改良形態では、第１の回転子セグメントは、第２の回転子セグメントに対して回転方向でずらされている。
【００３０】
別の改良形態では、少なくとも１つの層は、別の層に対して回転方向でずらされている。
【００３１】
さらに別の改良形態では、所望の磁場は、少なくとも１つの永久磁石によって発生する。
【００３２】
さらに別の改良形態では、ポリマーマトリクスは、ナイロン、ポリプロピレン、およびポリフェニレンスルフィドのうちの少なくとも１種であるかまたは少なくとも１種を含む。
【００３３】
なおもさらに別の改良形態では、磁性粒子は、ＮｄＦｅＢ、Ｓｍ−Ｆｅ−Ｎ、およびフェライト粉末のうちの少なくとも１種であるかまたは少なくとも１種を含む。
【００３４】
更なる改良形態では、電気機械は、永久磁石支援同期リラクタンスモータおよび／または発電機である。
【００３５】
なおも更なる改良形態では、磁性粒子は、異方性磁性粒子である。
【００３６】
なおも更なる改良形態では、（ｃ）は（ｄ）を実施する前に実施される。
【００３７】
加えてなおも更なる別の改良形態では、方法は、ポリマーボンド永久磁石材料が固化するまで、所望の磁場に曝されている間、第１の極を整列位置に維持することをさらに含む。
【００３８】
本発明の実施形態は、電気機械用の回転子を製造するための方法を含み、この方法は、マンドレルに複数の回転子層を積み重ねて、マンドレルに対して平行な軸線方向に延在する回転子セグメントを作製することであって、マンドレルは、回転子層を互いに対して所望の回転方向位置に整列させるように構成されており、層は、内部に複数の開口部を有しており、積み重ねられた回転子層は、回転子セグメントを形成しており、複数の開口部は、回転子セグメントを通って延在する複数の通路を形成しており、回転子セグメントは、複数の極を有している、ことと、内部に永久磁石を形成するための１つの極を選択することと、極に溶融状態のポリマーボンド永久磁石材料を射出することであって、ポリマーボンド永久磁石材料は、ポリマーマトリクス内に懸濁された磁性粒子を含む、ことと、所望の磁場を使用して、ポリマーマトリクス内の磁性粒子を所望の配向に整列させることと、ポリマーボンド永久磁石材料を固化させて固体の永久磁石を形成することと、固化させた後に、複数の極の各極に対して、選択、射出、整列、および固化を繰り返すことと、を含む。
【００３９】
改良形態では、第１の回転子セグメントは、第２の回転子セグメントに対して回転方向でずらされている。
【００４０】
別の改良形態では、少なくとも１つの層は、別の層に対して回転方向でずらされている。
【００４１】
さらに別の改良形態では、所望の磁場は、少なくとも１つの永久磁石によって発生する。
【００４２】
さらに別の改良形態では、ポリマーマトリクスは、ナイロン、ポリプロピレン、およびポリフェニレンスルフィドのうちの少なくとも１種であるかまたは少なくとも１種を含み、磁性粒子は異方性であり、磁性粒子は、ＮｄＦｅＢ、Ｓｍ−Ｆｅ−Ｎ、およびフェライト粉末のうちの少なくとも１種であるかまたは少なくとも１種を含む。
【００４３】
なおも更なる別の改良形態では、マンドレルにキーが配置されており、回転子層のそれぞれは、キーと係合するように構成された整列スロットを含み、方法は、各回転子層の整列スロットをキーと係合させることをさらに含む。
【００４４】
更なる改良形態では、マンドレルは、キーを保持するように構成されたスロットを有しており、スロットおよびキーは、各回転子層間のずれを制御するように構成されており、方法は、スロットおよびキーを使用して各回転子層間のずれを制御することをさらに含む。
【００４５】
なおも更なる改良形態では、電気機械は、永久磁石支援同期リラクタンスモータおよび／または発電機である。
【００４６】
なおも更なる改良形態では、方法は、少なくとも２つの回転子セグメントを形成することと、少なくとも２つの回転子セグメントを組み合わせて電気機械用の回転子を形成することと、をさらに含む。
【００４７】
本発明を図面および前述の説明において詳細に図示および説明してきたが、これらは例示的であって、特性を限定するものではないと見なされるべきであり、好ましい実施形態のみが示され、かつ説明されており、本発明の精神に含まれる全ての変更および修正が保護されるべきであると望まれることが理解されよう。上述の説明で利用される「好ましい」、「好ましくは」、「好まれる」、または「より好まれる」などの用語の使用は、そのように説明された特徴がより望ましい場合があることを示しているが、それにもかかわらず、それらは必要でなくてもよく、それらを欠く実施形態が本発明の範囲内であるものと考えられてもよく、その範囲は以下の請求項によって規定されることを理解されたい。請求項を読む際に、「ａ」、「ａｎ」、「少なくとも１つ」、または「少なくとも１つの部分」などの用語が使用されている場合、請求項において特に反対の記載がない限り、請求項を１つの項目のみに限定するつもりではないことを意図している。「少なくとも一部」および／または「一部」という用語が使用される場合、特に反対の記載がない限り、項目は、一部および／または項目全体を含むことができる。
【００４８】
特に指定または限定されていない限り、「取り付けられた」、「接続された」、「支持された」、および「結合された」という用語、ならびにそのバリエーションは広く使用され、直接的および間接的な両方の取り付け、接続、支持、および結合を包含する。さらに、「接続」および「結合」は、物理的または機械的な接続または結合に限定されない。
【図１】
2021509004.tif 000003
【図２】
2021509004.tif 000004
【図３】
2021509004.tif 000005
【図４Ａ−４Ｂ】
2021509004.tif 000006
【図５】
2021509004.tif 000007
【国際調査報告】
2021509004.tif 000008